(57)【要約】【課題】わら・麻等の繊維や、貝殻・石・タイル等種々の素材、大きさまたは形状の装飾材を、簡単且つ効率良く壁面に固定することのできる壁面装飾方法を提供する。【解決手段】網状粘着シートの粘着面に装飾材を貼着し、網状粘着シートに貼着した装飾材を未硬化状態の湿式仕上材を塗布した壁面に押し付けて装飾材を壁面に貼着し、湿式仕上材が硬化した後に装飾材から網状粘着シートを剥離し、壁面に装飾材を固定する。【選択図】　　　　なし【特許請求の範囲】
【請求項１】
網状粘着シートの粘着面に装飾材を貼着し、網状粘着シートに貼着した装飾材を未硬化状態の湿式仕上材を塗布した壁面に押し付けて装飾材を壁面に貼着し、湿式仕上材が硬化した後に装飾材から網状粘着シートを剥離し、壁面に装飾材を固定したことを特徴とする壁面装飾方法。
【請求項２】
網目の目開き量が１〜１０ｍｍの網状粘着シートを使用したことを特徴とする請求項１に記載の壁面装飾方法。
【発明の詳細な説明】
【０００１】
【発明の属する技術分野】
本発明は、湿式仕上材を塗布した壁面の装飾方法に関するものであり、種々の大きさ、形状または素材の装飾材を、効率良く壁面に固定することができる壁面装飾方法に関するものである。
【０００２】
【従来の技術】
土壁等の湿式仕上材の表面に、わら・麻等の繊維や、貝殻・石等の自然素材あるいは樹脂・ガラスビーズ・タイル等の人工素材からなる装飾材を固定して、壁面の装飾効果を高める試みが為されている。
【０００３】
壁面に装飾材を固定する方法としては、湿式仕上材を塗布した直後、湿式仕上材が未硬化のうちに装飾材を手で壁面に押し付けて埋め込むか、あるいは湿式仕上材と装飾材を予め混合し、これを壁面に塗布する方法が知られている。
【０００４】
しかしながら、手で装飾材を壁面に埋め込む方法は、装飾材の大きさが手で取り扱える程度のものに限られてしまい、小さな骨材を壁面に固定することが困難となる。また、装飾材を手で埋め込む際、壁面に手跡が残る等して仕上りの外観を悪化させるものであった。さらに、広大な面積の壁面を装飾するのに、装飾材を一つ一つ手で埋め込む作業は、甚だ煩雑なものであった。
【０００５】
湿式仕上材と装飾材を予め混合し、これを壁面に塗布する方法では、土等の主材または顔料が装飾材の表面を覆ってしまい、装飾材の風合いを損ねるものとなる。未硬化状態の仕上面に対して洗い出しを行えば、装飾材の表面に付着した土や顔料を洗い落とすことができ、装飾材の表面を露出させることができるが、セメントをバインダーとして配合している湿式仕上材以外では表面強度が著しく低下するため、湿式仕上材の種類が限定されるものであった。
さらに、特開昭５５−７４３０号公報に示されるコンクリート壁の表面処理方法では、堅砂等を噴射するコンプレッサー等を必要とするため、装置が大掛かりとなり、家屋内壁における模様付けには不向きなものであった。
【０００６】
【発明が解決しようとする課題】
本発明の目的は、種々の大きさ、形状または素材の装飾材を、簡単且つ効率良く壁面に固定することのできる壁面装飾方法を提供するものである。
【０００７】
【課題を解決するための手段】
本発明者等は、このような事情に鑑み鋭意検討を重ねた結果、網状粘着シートの粘着面に装飾材を貼着し、網状粘着シートに貼着した装飾材を未硬化状態の湿式仕上材を塗布した壁面に押し付けて装飾材を壁面に貼着し、湿式仕上材が硬化した後に装飾材から網状粘着シートを剥離し、壁面に装飾材を固定したことにより所期の課題を解決できることを見出し、本発明を完遂するに至った。
【０００８】
さらに、網目の目開き量が１〜１０ｍｍの網状粘着シートを使用したことにより、装飾材を未硬化状態の壁面に貼着した際、網状粘着シートによって覆われた壁面の乾燥に影響を与えて硬化不良を起こさせることなく、均一な仕上がりの壁面が得られる。
【０００９】
【作用】
本発明によれば、粘着シートは網状となっており、粘着シートを裏返すことにより貼着した装飾材が透けて見えるので、装飾材が壁面に配置される状態を観察しながら、網状粘着シートの粘着面に装飾材を配置することができ、網状粘着シートに貼着した装飾材はそのままのレイアウトを保って壁面に貼着することができる。さらに、網状粘着シートの上から装飾材を未硬化の壁面に押し付けて埋め込み、湿式仕上材が硬化すると、装飾材を壁面に固定する強度が網状粘着シートに装飾材を貼着する強度を上回り、装飾材だけを壁面に残して網状粘着シートを剥がすことができ、壁面に装飾材を簡単且つ効率良く固定することができる。
【００１０】
【発明の実施の形態】
本発明の実施に当たり、網状粘着シートの素材としては、ガラス繊維、ナイロン繊維など種々のものが使用できるが、装飾材の重量によって容易に変形しない程度の剛性を有するものが好ましい。網状粘着シートは、テープ状に巻き取られたもの等が使用でき、例えば石膏ボード継目処理用の網目状グラスファイバーテープ等を流用することができる。その大きさは、幅が５０ｍｍ、１５０ｍｍ、５００ｍｍ、９１０ｍｍ等、装飾材の大きさに合わせて任意のものが用いられ、適宜必要な長さに切り取って使用される。
【００１１】
本発明の実施に当たり、網目の目開き量が１〜１０ｍｍの網状粘着シートが使用される。目開き量が１ｍｍを下回ると、目詰まり状態となって、未硬化状態にある湿式仕上材の乾燥が妨げられ、湿式仕上材の硬化不良を引き起こす虞があり、目開き量が１０ｍｍを超えると、大きな装飾材しか貼着することができず、さらに網状粘着シートの剛性も不足し、壁面に上手く網状粘着シートを貼着することが困難となる。
【００１２】
本発明の実施に当たり、壁面に固定する装飾材の種類としては、藁・麻等の繊維や、貝殻・石・タイル等種々の素材が挙げられるが、大きなタイルや粒径の石はテープの接着性を考慮すると使用は困難である。好適な素材としては、粒径が０．３〜５ｍｍの砂、貝殻等の骨材、もしくは藁すさ等が挙げられる。
【００１３】
装飾材のサイズによっては、湿式仕上材の塗り厚を調整すべきであり、装飾材のサイズが大きくなるにつれて、厚塗りしておかないと乾燥後に装飾材が剥落する虞がある。また、サイズの小さな装飾材を使用する場合には、壁材の乾燥を阻害しない範囲において、粘着シートの目開きが出来るだけ小さなものが望ましい。目開きが装飾材の大きさと比較して著しく大きい場合、装飾材は網目に沿うようにしか貼着されず、壁面には網目模様に装飾材が配置されてしまうことになる。
【００１４】
【実施例】
〔実施例〕
目開き３ｍｍ、幅５０ｍｍのロール状ガラス繊維製の網状粘着シート（商品名：Ｊ−ファイバーテープ　四国化成工業株式会社製）を５００ｍｍの長さにカットし、装飾材として長さ５〜１０ｍｍ、太さ１〜２ｍｍの藁すさ及び粒径１〜２ｍｍの玉砂利を網状粘着シートの粘着面に貼着した。装飾材を網状粘着シートに貼着する過程において、網状粘着シートを裏返すことにより、藁すさと玉砂利のレイアウトを透かして見ることができ、壁面を装飾した仕上り状態を観察しながら装飾材を配置することができた。
【００１５】
壁面には湿式仕上材（商品名：けいそうモダンコート内装　四国化成工業株式会社製）を鏝塗りによって、塗り厚２ｍｍに塗布しておき、塗布後３０分以内に網状粘着シートに貼着した装飾材を未硬化の壁面に押し付けて、装飾材を壁面に貼着した。装飾材を壁面に押し付ける際には、網状粘着シートを介して装飾材を押えることができるので、均一に装飾材を埋め込むことができ、壁面に手跡を残すことなく作業が完了した。
【００１６】
湿式仕上材を塗布してから２４時間経過後、網状粘着シートを装飾材から剥離させた。装飾材は網状粘着シートと共に剥がれることなく、全ての装飾材の表面が壁面から露出した状態で強固に固着されていた。網状粘着シートを剥離する際の作業性も良好であり、網状粘着シートが壁面に引っ掛かって壁面を損傷するといったトラブルも発生しなかった。
【００１７】
【発明の効果】
この発明によれば、わら・麻等の繊維や、貝殻・石・タイル等種々の装飾材を、網状粘着シートを介して一挙に未硬化状態の壁面に押し付けて埋め込むことができ、湿式仕上材が硬化した後には装飾材だけを残して網状粘着シートを剥がすことにより、簡単且つ効率良く壁面を装飾することができる等、実施上の効果は多大である。